(57)【特許請求の範囲】
【請求項１】
感光体に帯電器を配置し、感光体に静電潜像を形成する前に一様な帯電を行う方式の画像記録装置であって、帯電器をブラシ帯電器で構成し、感光体とブラシ帯電器とを連動して回転させる連動手段を設け、上記連動手段は回転方向に従い感光体とブラシ帯電器の接触状態と非接触状態とを切り換え、
上記連動手段は、感光体の回転軸とブラシ帯電器の回転軸とを連結するギヤ列であり、感光体側のギヤが回転すると同時にブラシ帯電器側のギヤが感光体側のギヤの軸を中心にして公転する、遊星ギヤ機構であることを特徴とする画像記録装置。
【請求項２】
上記連動手段は、感光体とブラシ帯電器と共に１つのユニットに組み込んで構成し、感光体ドラムに形成したトナー画像を用紙に転写した後で、感光体ドラムに残留するトナーを現像器に戻して再使用する方式の装置に、上記ユニットを組み込むことを特徴とする請求項１に記載の画像記録装置。
【発明の詳細な説明】
【０００１】
【発明の属する技術分野】
本発明は、例えば、ローラ状のブラシ帯電器を備えた電子写真方式の画像記録装置に関するものである。
【０００２】
【従来の技術】
従来、電子写真式の画像記録装置においては、感光体ドラムに対する帯電手段として、一般にはコロナ放電を行う帯電コロナを用いている。そして、帯電コロナの放電により感光体ドラムの表面電位を一定の値に設定してから、画像に応じた光を照射して静電潜像を作成し、その静電潜像に対してトナーを供給することにより、トナー画像としての可視像を作成する。トナー画像は、画像転写位置で、転写コロナ等を用いて用紙に転写し、そのトナー画像を担持する用紙を定着装置を通して定着し、記録紙として排出させる。ところが、コロナを使用する画像記録装置においては、コロナからの高圧放電によりオゾンが発生するという問題がある。このため、排気ファン等の排気手段にオゾンフィルタを設ける必要があり、装置が大型化する。
【０００３】
そこで、小型の画像記録装置に対して、感光体ドラムに帯電させるための帯電器と、トナー画像を用紙に転写するための転写部材とを、ブラシ状ローラにより作成したもの（ブラシ帯電器）またはスポンジで形成したロール状の部材で構成することが行われている。そして、例えばブラシ帯電器を使用することにより、画像形成装置の構成を簡素化できるとともに、放電電圧を比較的低い電圧とし、オゾンの発生をなくすることによって、排気手段の構成ひいては装置全体の構成を簡素化できるという特徴を発揮することが可能になる。
【０００４】
【発明が解決しようとする課題】
しかしながら、上述したような従来の画像記録装置では、ブラシ帯電器のブラシ毛先が弾性変形して所定押圧力で接触するようにブラシ帯電器が装置フレーム等に取り付けられている。そのため、印字動作時はブラシが回転しているので感光体ドラムに押圧されているブラシ毛先の変形している時間は短いが、印字動作時外はブラシが停止しているので感光体ドラムに押圧されているブラシ毛先の変形している時間が長い。それに伴い、印字動作外時に押圧され接触しているブラシ毛先が変形したままとなり、元の形状に戻りにくかったり、クリープ現象による塑性変形を起こす、所謂、ブラシの待機癖が発生するといった問題があった。ブラシの待機癖が発生するとブラシ周面が凹凸となり感光体ドラムに接触するブラシ毛先の長さや圧接力等が一定せず、感光体ドラムの帯電にむらができ、印字品質を低下させるといった問題が発生する。さらに、一定しないブラシの長さや圧接力のために、回転駆動系に負荷変動が加わり、感光体ドラムの帯電にむらがさらに悪化し、印字画質をさらに低下させるといった問題を引き起こしてしまう。特に、長時間の印字動作時、ブラシと感光体ドラムとの摩擦熱や周辺部の熱等によりブラシの温度が上昇した後、長時間の印字がおこなわれずブラシが変形したままで冷却された場合、待機癖は顕著となる。
【０００５】
上述の問題は、特に、感光体ドラムから用紙にトナー画像を転写した後で、残留するトナーをクリーニング装置に回収せずに、現像器に戻して再使用する方式（クリーナレス方式）の画像形成装置においてはさらに顕著となる、すなわち感光体ドラムに残留するトナー等を帯電前に除去しないので、クリーニング装置を用いたシステムに比べてブラシ帯電器が汚れやすく、このブラシ帯電器の汚れが、ブラシ毛先の変形とあいまって感光体ドラムの帯電性能に与える影響が大きくなってしまう。
【０００６】
本発明の目的は、従来のこのような欠点を解消するため、待機癖によるブラシ帯電器のブラシ毛先の変形を防止し、感光体ドラムに接触するブラシ毛先の圧接力等を安定させるとともに回転駆動の負荷変動をなくし、感光体ドラムの帯電を安定させ、印字品質を向上できる画像記録装置を提供することにある。
【０００７】
【課題を解決するための手段】
上記目的を達成するために、請求項１の発明は、感光体ドラムに帯電器を配置し、感光体ドラムに画像の光を照射する前に一様な帯電を行う方式の画像記録装置であって、帯電器をブラシ帯電器で構成し、感光体ドラムとブラシ帯電器との駆動を連動する連動手段を設けると共に、上記連動手段に感光体ドラムとブラシ帯電器とにおける接触状態と非接触状態とを切り換える切り換え手段を設け、上記連動手段が感光体ドラムとブラシ帯電器とを連結するギヤ列であり、上記切り換え手段は、ギヤが回転すると同時に一方のギヤが他方のギヤの軸を中心にして公転する、上記ギヤ列に設けられた遊星ギヤ機構とした。さらに、請求項２の発明は、上記連動手段および上記切り換え手段は、感光体ドラムとブラシ帯電器を１つのユニットに組み込んで構成し、感光体ドラムに形成したトナー画像を用紙に転写した後で、感光体ドラムに残留するトナーを現像器に戻して再使用する方式の装置に、組み込む。
【０００８】
【発明の実施の形態】
以下、本発明の実施の形態の画像記録装置を図面を参照しつつ述べる。図１は、本発明の実施の形態の画像記録装置を示す外観図である。図２は、図１の装置に組み込んで使用する走査装置の構成を示す断面図である。図３は、図１の本体フレームに配置するプロセス装置部の断面図である。図４は、図３のプロセス装置の構成を示す断面図である。図５は、図４の感光体ユニットの構成を示す断面図である。図６は、遊星ギヤ機構を含むギヤ列を示す説明図である（正転時）。図７は、遊星ギヤ機構を含むギヤ列を示す説明図である（逆転時）。図８は、図５の画感光体ユニットの動作を示すタイミングチャートである。
【０００９】
図示される例にしたがって、本発明の画像記録装置の構成を説明する。図１に示される例は、ファクシミリ装置と複写機とを複合した装置として構成する場合を示しているもので、画像記録装置１は、下部に２つの給紙カセット３、３ａを配置し、その上部に電子写真方式の記録部を備えた本体フレーム２と、本体フレーム２の一側部に設けた支点２１を介して揺動可能に設けた走査部フレーム２０とを組み合わせて構成している。走査部フレーム２０には、フレームの上面にプラテンを配置し、そのプラテンにセットしたブックものの原稿を走査するＦＢＳ（フラットベッドスキャナ）としての走査装置と、プラテンカバーの上面を原稿排出トレイ２８として用い、原稿トレイ２７から挿入する原稿を、自動原稿搬送装置としての原稿搬送部４０内で移動させながら走査し、自動原稿搬送装置（ＡＤＦ）としての動作を行う移動原稿走査部とを設けている。画像記録装置１においては、図１の仮想線で示されるように、本体フレームに対して走査部フレーム２０を開閉可能に構成しているものであり、走査部フレーム２０を支点２１を介して開いた状態では、本体フレーム２の上面が開放される状態となる。
【００１０】
各構成部材と、フレームの開閉機構を配置することにより、本発明の画像記録装置においては、給紙カセットに対する用紙の補給と装置の制御の動作をフロント側から行い得るとともに、手差しトレイを用いた用紙の供給と、コピーの取り出しの動作を両側部から行うことができる。また、走査部フレーム２０を開閉することにより本体フレームの上部を開放して、画像記録部のプロセス装置に対するメンテナンスを行い得るようにする。さらに、プラテンにブックものの原稿をセットする動作を、走査部フレーム２０の上の上部開閉フレーム２５を開閉して行うことができ、プラテンに対してセットした原稿の走査を行いながら、画像情報の送信の動作を容易に行うことができる。
【００１１】
本体フレーム２の下部に収容する給紙カセット３、３ａは、任意のサイズの用紙を収容可能で、装置のフロント側に引き出し可能に設けられている。また、本体フレームの他方の側部には、図３にも示されるように、手差し挿入口５を配置して、手差しトレイ６を装着可能に構成し、特殊なサイズの用紙や、給紙カセットに収容しない少数枚の用紙を用いてコピーを作成可能にしており、手差しトレイを装着しない状態では、本体フレームの側面には突出するものがないように構成される。さらに、図１に示されるように、本体フレーム２の一側部には、コピーを収容する排出トレイ７を配置し、大サイズの用紙に対応させて補助トレイ８を引き出し可能に設けている。排出トレイ７は、補助トレイ８を引き出さない状態では、走査部フレーム２０の端部よりも側部に突出しないので、用紙が若干トレイから突出する状態で収容される。
【００１２】
画像記録装置１において、本体フレーム２の上部に配置する走査部フレーム２０には、図２に示すように構成した走査装置３０を設けている。走査装置３０は、一般の複写機や画像記録装置の読取り装置に用いられているものと同様に、ランプ３２と１つのミラーｍ１を設けたフルレートキャリッジ３１と、２つの対向するミラーｍ２、ｍ３を配置するハーフレートキャリッジ３３とを組み合わせて設け、原稿の走査情報をレンズ装置３７を介してＣＣＤ３８に伝達し、光信号を電気信号に変換して、本体フレームに配置する画像情報処理部に伝達する。フルレートキャリッジ３１とハーフレートキャリッジ３３とを駆動するために、本実施の形態においては、径が２：１に設定された駆動プーリ３５、３５ａを同軸に配置し、各々の駆動プーリに巻き掛けたベルト３６、３６ａを介して、２つのキャリッジを各々連動させて移動させる機構を設けている。
【００１３】
走査部フレーム２０の上端には、ブックものの原稿を載置し、ＦＢＳとしての動作に対応させるプラテン２３と、ＡＤＦとしての動作に対応させて、原稿搬送部４０の下部に配置するプラテン２４とを設けている。プラテン２３に対しては、上部開閉フレーム２５を開いて原稿をセットし、上部開閉フレームを閉じることにより、プラテンカバー２６がプラテンの上面に原稿の画像面を押圧させて、固定位置にセットした原稿の走査を行う。そして、プラテン２３にセットした原稿に対しては、図示を省略したセンサの検出情報に応じて、走査装置３０のフルレートキャリッジ３１が原稿の走査方向の長さだけ往復移動し、ハーフレートキャリッジ３３がフルレートキャリッジの半分の速度で移動しながら画像情報の読取りを行い、ＣＣＤ３８を介して画像信号を出力する。また、原稿トレイ２７を用いてシートものの原稿の走査を行う際には、ＡＤＦ（自動原稿搬送装置）としての原稿搬送部４０に設けたＵ型搬送路４４を通して原稿を搬送し、プラテン２４の部分に走査装置を固定する状態で画像の読取りの動作を行う。
【００１４】
原稿搬送部４０に設けるＵ型搬送部４４には、原稿前挿入部のピックアップローラ４２と、用紙さばき装置４３および、Ｕ型搬送路の内部で原稿の搬送を行う搬送ローラ装置４５を設けている。搬送ローラ装置４５には、原稿のターン部の内面の案内面を形成する大径の駆動ローラ４６と、２つのピンチローラ４７、４７ａとを配置し、ピンチローラ４７ａの下流部にプラテン２４を位置させている。また、Ｕ型搬送路４４の終端部には排出ローラ装置４８を配置して、走査が終了した原稿を排出トレイ２８に向けて排出させる。
【００１５】
原稿搬送部４０には、Ｕ型搬送路４４の外側の用紙ガイドを一体に設けた開閉フレーム４１を支軸４０ａを介して開閉可能に設けており、開閉フレーム４１にはピックアップローラ４２と用紙さばき装置４３のローラ、およびピンチローラ４７、４７ａを配置している。そして、開閉フレーム４１を開くことにより、Ｕ型搬送路４４を開放してジャム紙の処理を行い得るようにする。また、図示を省略しているが、Ｕ型搬送路４４の内側のガイド板と駆動ローラ４６、および排出ローラ装置４８の１つのローラを含むフレームを、原稿搬送部の下部フレームに対して開閉可能に設ける場合には、プラテン２４に対する清掃等のメンテナンスを容易に行うことが可能になる。
【００１６】
原稿搬送部４０を用いて、原稿トレイ２７にセットした原稿の走査を行う際には、原稿を原稿トレイにセットしたことを、図示を省略した検知手段の検知信号により制御装置を作動させることや、コントロールパネルに原稿搬送部を用いて、画像読取りの指令を入力することによって行う。そして、信号に応じて、走査装置３０のフルレートキャリッジ３１をプラテン２４に対応する位置に停止させ、ハーフレートキャリッジ３３を走査部フレーム３０の左側の端部にまで移動させ、原稿トレイ２７から原稿を１枚ずつＵ型搬送路４４内で搬送し、プラテン２４の部分で原稿の画像の読取りを行う。したがって、走査部フレーム２０に配置する走査装置においては、２つのプラテン２３、２４に対応させて走査装置をセットし、任意の原稿に対する読取りの動作を行うことができ、画像記録装置の送信機能を利用して、画像情報を送信することができる。
【００１７】
原稿搬送部４０の下部に配置している本体フレーム２には、図３及び図４に示されるような電子写真方式を用いたプロセス装置５０と、給紙カセットから排出トレイに至る用紙搬送機構とを設けている。プロセス装置５０は現像器ユニット５１と感光体ユニット６０とを組み合わせており、感光体ユニット６０に設けた感光体ドラム６２に対して、現像器ユニット５０の現像ローラ５５を配置し、感光体ドラム６２の下部には、用紙の通路を挟むようにして転写ローラ１７を設けている。プロセス装置５０を構成する２つのユニット５１、６０は、後述するように、一体に組み合わせたままで本体フレームの上部から着脱可能に設られ、中間蓋１０を閉じた状態で動作位置に固定保持される。６３は、感光体ドラム６２のドラム軸である。なお、この実施の形態では、感光体として感光体ドラムを用いているが、感光体ベルトを用いることもできる。
【００１８】
本体フレームのプロセス装置の下部に配置される給紙カセット３においては、用紙送り出し側に配置する給紙ローラ１３により用紙を１枚ずつ送り出し、用紙搬送路１４内を搬送して画像転写部を介して、定着装置１８に送り込み、排出ローラ装置１９を介して排出トレイに向けて排出させる。用紙搬送路１４には、搬送ローラ装置１５、１６を設けており、用紙の先端部が搬送ローラ装置１５にニップされると、給紙ローラ１３による送り作用が中断され、搬送ローラ装置１５により用紙が送られる。その後、感光体ドラム６２に形成されるトナー画像のタイミングに応じて、搬送ローラ装置１６が駆動されて用紙を搬送するとともに、転写ローラ１７からの電圧の印加により感光体ドラム６２上の、トナー画像を用紙に転写する。そして、トナー画像が転写された用紙は、感光体ドラム６２による用紙の送り作用により定着装置１８に案内され、定着装置１８の熱ローラと加圧ローラの間を通って定着され、コピーを排出ローラ装置１９により排出トレイに排出させる。
【００１９】
図１に示す装置では、給紙部に２つの給紙カセットを配置しているが、給紙カセット３の下部の給紙カセット３ａからの用紙は、図３に示す用紙搬送路１４ａを介して用紙搬送路１４に送られる。また、図１に示す手差し挿入口５に設けた手差しトレイを介して供給される用紙は、図３に示す手差し用ローラ装置５ａを介して搬送ローラ装置１６に送られ、画像の転写が行われる。本体フレームの縦の用紙搬送路には、側板４を開いた状態で用紙搬送路を開放する手段を設けており、図の仮想線で示された状態よりもさらに大きく開くことにより、縦の用紙搬送路内での用紙の処理を行うことができる。側板４に対しては、本体フレームにロック機構と検知手段とを設けておき、側板を閉じた状態でのみ、用紙の搬送を行い得るようにする。
【００２０】
図３に示すように、用紙搬送路１４の水平部の上部に配置されるプロセス装置５０において、感光体ユニット６０の感光体ドラム６２の上部には書き込み装置７０を配置し、書き込み装置７０は中間蓋１０を閉じた状態で感光体ドラム６２に対して位置決めされるように設けられている。プロセス装置５０は、クリーナレス方式の装置として構成されているもので、クリーニング装置を感光体ドラム６２に配置して、トナー画像を用紙に転写した後で、感光体ドラム６２に付着して残留するトナーを回収する従来のものとは異なる構成を有している。プロセス装置を構成する現像器ユニット５１と感光体ユニット６０との２つのユニットは、本体フレームの保持部に対して、２つのユニットを組み合わせたままで着脱可能に装着される。
【００２１】
図４に示されるように、現像器ユニット５１の非磁性一成分卜ナーを収容する容器部５２には、トナーを攪拌しながら給紙ローラ５４に供給するための攪拌部材５３を配置している。容器部５２からのトナー排出部には供給ローラ５４と、感光体ドラム６２に接する現像ローラ５５、および現像ローラ５５に接する層厚規制部材５６とを設けている。攪拌部材５３は、トナーを攪拌しながら供給ローラ５４に向けて供給するもので、任意の羽根部材を設けたものまたは棒状の部材として構成可能である。また、供給ローラ５４は軸にスポンジ状の導電性を有する弾性体、または導電牲の繊維を有する植毛体を、所定の厚さで設けた弾性体ローラとして構成することができる。そして、供給ローラ５４の軸には、図示を省略した給電部材から、−４００〜−６００Ｖ、望ましくは−５００Ｖ前後の値のバイアス電圧が印加される。
【００２２】
現像ローラ５５はステンレス等の金属製のローラ軸に、導電牲のゴム（シリコンゴム、ウレタンゴム、ＮＢＲ）を所定の厚さで被覆したもので構成されているもので、そのローラ表面を平滑なものとして構成する。現像ローラ５５に対しては、−２００〜−４００Ｖ、望ましくは−３００Ｖ前後の値のバイアス電圧が印加される。また、現像ローラ５５に対して配置する層厚規制部材５６は、現像ローラ５５の表面に形成するトナーの薄層を均一な厚さに設定するためのものであり、ウレタン樹脂シートまたはステンレス製の板部材からなるバネ性を有するものとして構成する。そして、層厚規制部材５６に対しては、−３００Ｖ〜−５００Ｖの範囲、望ましくは−４００Ｖ前後の値のバイアス電圧が印加される。
【００２３】
供給ローラ５４と現像ローラ５５との軸芯間距離は、２つのローラの半径の合計よりも若干小さく設定されており、両ローラを同一方向（矢印Ｘ方向）に回転することにより、両ローラの接触部では圧接されながら反対方向に摺動される状態となる。そして、両ローラの摩擦作用と各々のローラに印加されている電圧の差により、両ローラ間でトナーが帯電されるとともに、現像ローラ５５の表面にトナ−が付着される。さらに、現像ローラ５５の表面に付着されたトナーを層厚規制部材５６により均一な厚さに形成し、感光体ドラム６２に向けて露出させ、感光体ドラム６２に形成された潜像にトナーを移転させて、トナー画像を形成する。
【００２４】
また、図４および図５に示されるように、現像器ユニット５１に組み合わせて配置する感光体ユニット６０には、ユニットフレーム６１に支持される感光体ドラム６２と、表面が植毛部材等により帯電されるブラシローラのようなブラシ帯電器６５とを設けている。そして、感光体ドラム６２に対して書き込みユニット７０を配置して画像の書き込みを行うとともに、感光体ドラム６２に形成したトナー画像を転写ローラ１７の放電により用紙に転写する。また、書き込み装置７０はＬＥＤヘッドアレイにより構成されるもので、画像情報出力装置からの情報にもとづいて、ＬＥＤを発光させて感光体ドラム６２に光を照射する。感光体ドラム６２の表面はアースされた光導電体よりなるもので、ブラシ帯電器６５により−７８０Ｖの帯電が行われ、書き込み装置７０より光が照射された部位、すなわち画像情報の黒に対する部分の電位が−８０Ｖ程度となり、光の照射部位と非照射部位（画像情報の白に対応する部分）とで電位差が生じ、画像情報に対応する静電潜像が形成される。
【００２５】
感光体ドラム６２に形成される静電潜像に対して、現像ローラ５５の表面に付着している負に帯電しているトナーが接すると、トナーは感光体ドラム６２の表面の光照射部位に吸引され、感光体ドラム６２の表面にはトナー画像が形成される（反転現像）。トナー画像の転写位置では、用紙の裏面から転写ローラ１７により６００Ｖ〜３．５ｋＶのバイアス電圧が印加されることによって、用紙にトナー画像が転写される。トナー画像が転写された用紙は、感光体ドラム６２の回転により定着器１８に向けて送られる。
【００２６】
また、トナ一画像を用紙に転写した後で、感光体ドラム６２の表面に残留するトナーは、転写ローラ１７の下流側にドラム表面に接するよう配置されたメモリ除去ブラシ６６により掻き乱されて、感光体ドラム６２の表面に分散されるとともに、その後のブラシ帯電器６５の作用により感光体ドラム６２の表面と同じ電位に帯電される。このメモリ除去ブラシ６６にはドラム表面でのトナーの掻き乱しを有効に行わせるために所定の電圧（望ましくは＋３００Ｖ）が印加される。そして、感光体ドラム６２が現像ローラ５５に接する位置で、両者の間の電位差によりトナーは現像ローラ５５側に移転され、容器部から新たに供給されるトナーに混合されて再使用されるようにして、クリーナレス方式の装置として構成している。
【００２７】
感光体ドラム６２とブラシ帯電器６５は、切り換え手段となる遊星ギア機構８０と、連動手段となるギア列とにより、連動して回転されると共に、感光体ドラム６２とブラシ帯電器６５との接触、非接触の状態が切り換えられるようになっている。詳細は後述する。それに伴い、感光体ドラム６２にトナー画像を形成して用紙に転写する印字の動作を行う場合、感光体ドラム６２とブラシ帯電器６５は、図の矢印Ｘ１方向に共に駆動される状態で、ブラシ帯電器６５に加えられる電位により感光体ドラム６２の表面を帯電させる作用が行われる。このとき、ブラシ帯電器６５が感光体ドラム６２に接触状態となる位置では、ブラシ帯電器６５のブラシ毛先は感光体ドラム６２の表面に所定の圧力で接触する。
【００２８】
次に、遊星ギア機構８０を含むギア列の構成について主に図６及び図７を参照して述べる。ブラシ帯電器６５と感光体ドラム６２とは、ギア８３とギア８２及びギア８１とから成るギア列により連結されている。ギア８１は、感光体ドラム６２の軸６３に取り付けられ、感光体ドラム６２と一体に回転するようになっている。ギア８２は、ユニットフレーム６１に設けられた軸８２ａに回転自在に取り付けられ、ギア８１に噛み合っている。更にギア８２は、ギア８３に噛み合っている。ギア８３は、軸６５ａに取り付けられ、ブラシ帯電器６５と一体に軸８２を中心に回転するようになっている。そして、ギア８３とギア８２は連結部材８４により連結されている。尚、ギア８３と連結部材８４との間には、ギア８３の回転に負荷が加わるように図示しない摩擦部材が設けられている。
【００２９】
即ち、ギア８３とギア８２と連結部材８４と、図示しない摩擦部材とは、遊星ギア機構８０となっている。上述のギア列では、ギア８１が駆動ギアとなっており、ギア８２、ギア８３へと駆動が伝達される。そして図６に示すように、ギア８１に駆動回転Ｘ１が与えられると、ギア８２はＸ方向に従動回転する。そして、遊星ギア機構８０により、ギア８３はＸ１方向に回転すると共に、軸８２ａを中心にギア８２の周りをＹ方向へ回転する。そして、ブラシ帯電器６５と感光体ドラム６２が接触状態となると共に、感光体ドラム６２とブラシ帯電器６５がそれぞれＸ１方向に回転する。
【００３０】
また、図７に示すように、ギア８１がＸ方向に回転すると、ギア８２がＸ１方向に従動回転する。それに伴い、遊星ギア機構８０により、ギア８３は軸８２ａを中心にＹ方向に回転する。それに伴い感光体ドラム６２とブラシ帯電器６５とは非接触状態となる。
【００３１】
次に、上述の遊星ギヤ機構８０を含む感光体ユニット６０の動作について、図８のタイミングチャートを説明する。図８に示されるように、印字動作がＯＦＦの時は、感光体ドラムは停止状態であり、ブラシ帯電器６５の電位もＯＦＦとなっている。そして、ブラシ帯電器と感光体ドラムは非接触状態である。そして、印字動作がＯＮになると、感光体ドラムがＸ１方向の回転、即ち、正転し始め、帯電器ブラシの電位もＯＮとなる。そして、上述の遊星ギア機構により、感光体ドラムとブラシ帯電器とは接触状態となる。印字動作がＯＮからＯＦＦになると、ブラシ帯電器の電位がＯＦＦになると共に、感光体ドラムが逆転、即ちＸ方向に回転し始める。そして、上述の遊星ギア機構により、所定時間ｔだけ、感光体ドラムを逆転させ、感光体ドラムとブラシ帯電器は非接触状態となる。上述のように印字動作が行われる時だけ、ブラシ帯電器は感光体ドラムに接触しているので、ブラシの待機癖等を防止できる。
【００３２】
尚、上記実施の形態の画像記録装置では、ブラシ帯電器を感光体ドラムから離す時、感光体ドラムを回転させているが、ブラシ帯電器を感光体ドラムから離す方向に作用する弾性部材を設けてもよい。
【００３３】
また、上記実施の形態の画像記録装置では、ブラシ帯電器と感光体ドラムとを接触、非接触とするためにブラシ帯電器を移動させた場合を説明したが、感光体ドラム、または感光体ドラムとブラシ帯電器の双方を移動させる場合ことも可能であり、適宜、設計変更可能である。
【００３４】
【発明の効果】
上述のように、請求項１の発明により、印字動作時外はブラシは感光体ドラムに押圧されていないので、ブラシに待機癖が発生することが防止される。そのため、感光体ドラムに接触するブラシの長さや圧接力等が一定し、感光体ドラムの帯電にむらが発生することがない。そして、回転駆動系に負荷変動が加わることも防止され、ブラシ帯電器の帯電性能を良好に維持し、印字品質の劣化を防止することができる。
【００３５】
さらに、請求項１の発明により、簡易な構成で１つの駆動源で感光体ドラムとブラシ帯電器とを駆動できると共に、その駆動源の駆動方向を変えるだけで感光体ドラムとブラシ帯電器とを接触、非接触とするといった簡易な制御で行なえる。
【００３６】
さらに、請求項２の発明により、クリーナレス方式の装置に組み込むことにより、画像記録装置の特徴を有効に生かすことができ、感光体ドラムに帯電させる作用を良好な条件の下で行ない得て、印字の品質を良好に維持できる。
【図面の簡単な説明】
【図１】本発明の実施の形態の画像記録装置を示す外観図である。
【図２】図１の装置に組み込んで使用する走査装置の構成を示す断面図でる。
【図３】図１の本体フレームに配置するプロセス装置部の断面図である。
【図４】図３のプロセス装置の構成を示す断面図である。
【図５】図４の感光体ユニットの構成を示す断面図である。
【図６】遊星ギヤ機構を含むギヤ列の正転時の状態を示す説明図である。
【図７】遊星ギヤ機構を含むギヤ列の逆転時を示す説明図である。
【図８】図５の画感光体ユニットの動作を示すタイミングチャートである。
【符号の説明】
１      画像記録装置
５０      プロセス装置
６０      感光体ユニット
６２      感光体ドラム
６５      ブラシ帯電器
８０      遊星ギヤ機構
８１      ギヤ
８２      ギヤ
８２ａ    軸
８３      ギヤ
８４      連結部材
【図１】
0003785814.tif 000002
【図２】
0003785814.tif 000003
【図３】
0003785814.tif 000004
【図４】
0003785814.tif 000005
【図５】
0003785814.tif 000006
【図６】
0003785814.tif 000007
【図７】
0003785814.tif 000008
【図８】
0003785814.tif 000009